(57)【要約】【課題】器具本体の埋め込み設置状態での安定化を図るとともに、器具本体の落下を未然に防止しうる埋込型器具を提供する。【解決手段】外向フランジ４を板材２の表面に当接させ、器具本体７を支持する支持板５と、ばね端部１１、内側巻き部１２、屈曲連結部１３、外側巻き部１４、アーム部１５を有するばね線材よりなるダブルトーションばね１６とを備え、板材２の取付孔３に器具本体７を挿入して、器具本体７を埋め込み設置する。【選択図】  図１
2012104435.tif 000002
【特許請求の範囲】
【請求項１】
板材に設けた取付孔に器具本体を挿入して、設置する埋込型器具において、
外周部に設けた外向フランジが前記板材における取付孔の周縁下面に当接し、かつ中央部に配置した前記器具本体を支持する支持板と、
前記支持板の上面に固定部材をもって取付けられたばね端部、このばね端部に基端が連なる内側巻き部、この内側巻き部の遊端に基端が連なる外側巻き部、この外側巻き部の遊端から外側方向に向かって延出するアーム部を有するばね線材よりなるダブルトーションばねとを備え、
前記ダブルトーションばねは、前記支持板の上面における器具本体の両側にそれぞれ配置され、前記内側巻き部の捻り戻り力をそれぞれ前記外側巻き部に伝達し、前記外側巻き部を前記板材の裏面における取付孔の周縁に圧接させ、前記外向フランジと前記外側巻き部とにより前記板材を弾性的に挟持するようにしたことを特徴とする埋込型器具。
【請求項２】
支持板の上面における両側部に、前記１対のダブルトーションばねの基端部をそれぞれ取付け、かつ前後のダブルトーションばねの遊端部同士を、連結部をもって互いに連結した請求項１記載の埋込型器具。
【請求項３】
ダブルトーションばねにおける内側巻き部の遊端と、外側巻き部の基端とを、山形の屈曲連結部を介して互いに連結した請求項１または２記載の埋込型器具。
【請求項４】
板材に設けた取付孔に器具本体を挿入して、設置する埋込型器具において、
外周部に設けた外向フランジが前記板材における取付孔の周縁下面に当接し、かつ中央部に配置した前記器具本体を支持する支持板と、
前記支持板の上面にそれぞれ固定部材をもって取り付けられたばね端部、このばね端部に基端が連なる巻き部、この巻き部の遊端から外側方に向かって延出するアーム部を有するばね線材よりなるトーションばねとを備え、
前記トーションばねは、前記支持板の上面における器具本体の両側にそれぞれ配置され、前記巻き部の捻り戻り力をそれぞれ前記アーム部に伝達し、前記外向フランジと前記アーム部の一部とにより前記板材を弾性的に挟持するようにしたことを特徴とする埋込型器具。
【請求項５】
支持板の上面における両側部に、前後１対のトーションばねの基端部をそれぞれ取付け、かつ前後のダブルトーションばねの遊端同士を、連結部をもって互いに連結した請求項４記載の埋込型器具。
【請求項６】
アーム部の先端部に下向鉤状部を設け、支持板が板材から下方に移動したときに、前記下向鉤状部が前記板材の裏面における取付孔の周縁に係合して、前記支持板を吊支するようにした請求項１〜５のいずれかに記載の埋込型器具。
【発明の詳細な説明】
【技術分野】
【０００１】
本発明は、天井板や壁板等の板材に設けた取付孔に、器具本体を挿入して設置する埋込型器具に関する。
【背景技術】
【０００２】
この種の埋め込み型器具は、例えば特許文献１に記載されているように、器具本体を天井板の裏面から押さえる取付ばねは、器具本体に支持された巻き部と、この巻き部から天井板の裏面に延出するアームの自由端部に設けた押え部とを有し、この押え部と器具本体の外周に設けられた外向フランジとに挟まれた天井板を取り付けばねの付勢力を用いて器具本体を埋め込み設置している。
【先行技術文献】
【特許文献】
【０００３】
【特許文献１】特開２００９−１０４９５８号公報
【発明の概要】
【発明が解決しようとする課題】
【０００４】
上記特許文献１に記載されている埋め込み型器具は、地震のような強い振動が器具本体に加わると、取付けばねにおける巻き部と押え部とに亘るアームが、ばねの付勢力に抗して撓み、天井板に対する押え部の押さえ力が低下して、器具本体が天井の取付孔から落下するおそれがある。
【０００５】
このような落下を防止するためには、器具本体と天井側に設けたフレームとの間に落下防止用のワイヤを取り付けたり、取付ばねの押え部を天井の裏側に固定したり、器具本体に接続される電源ワイヤを太くして、引っ張り強度を高くしたりすればよいが、このようにすると、器具本体の埋め込み設置作業が繁雑となり、また、ばねの付勢力を利用して、ワンタッチで器具本体を埋め込み設置することは、時として困難である。
【０００６】
本発明は、上記問題点に鑑みてなされたもので、構造が簡単で、器具本体を容易に埋め込み設置することができ、かつ器具本体の埋め込み設置状態での安定化を図るとともに、器具本体の落下を未然に防止しうるようにした埋込型器具を提供することを目的としている。
【課題を解決するための手段】
【０００７】
本発明によると、上記課題は、次の各項のようにして解決される。
（１）板材に設けた取付孔に器具本体を挿入して、設置する埋込型器具において、外周部に設けた外向フランジが前記板材における取付孔の周縁下面に当接し、かつ中央部に配置した前記器具本体を支持する支持板と、前記支持板の上面に固定部材をもって取付けられたばね端部、このばね端部に基端が連なる内側巻き部、この内側巻き部の遊端に基端が連なる外側巻き部、この外側巻き部の遊端から外側方向に向かって延出するアーム部を有するばね線材よりなるダブルトーションばねとを備え、前記ダブルトーションばねは、前記支持板の上面における器具本体の両側にそれぞれ配置され、前記内側巻き部の捻り戻り力をそれぞれ前記外側巻き部に伝達し、前記外側巻き部を前記板材の裏面における取付孔の周縁に圧接させ、前記外向フランジと前記外側巻き部とにより前記板材を弾性的に挟持する。
【０００８】
このような構成とすると、埋込型器具の装着時に、内側巻き部の捻り戻り力により、外側巻き部が取付孔の上縁から板材の裏面に乗り上がり、そのときの反力により、支持板が持ち上げられて、支持板は、外向フランジが板材の表面に当接する正規の装着位置に簡単に装着され、かつ装着後には、外向フランジと外側巻き部とにより板材を強力に挾圧把持して、埋込型器具を安定よく埋め込み設置することができる。
また、器具本体が強い振動を受けた場合でも、外側巻き部が取付孔の縁から内側に戻され難く、埋込型器具の埋め込み設置状態を安定させることができる。従って、例えば落下防止用のワイヤを取り付けたり、取付ばねの押え部を板材の裏側に固定したり、器具本体に接続する電源ワイヤを太くしたりすることなく、器具本体が落下することを未然に防止することができる。
【０００９】
（２）上記（１）項において、支持板の上面における両側部に、前記１対のダブルトーションばねの基端部をそれぞれ取付け、かつ前後のダブルトーションばねの遊端部同士を、連結部をもって互いに連結した。
【００１０】
このような構成とすると、遊端同士を連結した前後１対のダブルトーションばねを、器具本体の両側に配置し、合計４個の外側巻き部と外向フランジとにより板材を弾性的に強力に挟持するので、器具本体が落下することを未然に防止する効果が大となる。
【００１１】
（３）上記（１）または（２）項において、ダブルトーションばねにおける内側巻き部の遊端と、外側巻き部の基端とを、山形の屈曲連結部を介して互いに連結した。
【００１２】
このような構成とすると、外側巻き部が取付孔の上縁に乗り上がる際に、外側巻き部と内側巻き部との連設部分が取付孔の上縁と干渉することがなくなり、取付作業が円滑に行われる。
【００１３】
（４）板材に設けた取付孔に器具本体を挿入して、設置する埋込型器具において、外周部に設けた外向フランジが前記板材における取付孔の周縁下面に当接し、かつ中央部に配置した前記器具本体を支持する支持板と、前記支持板の上面にそれぞれ固定部材をもって取り付けられたばね端部、このばね端部に基端が連なる巻き部、この巻き部の遊端から外側方に向かって延出するアーム部を有するばね線材よりなるトーションばねとを備え、前記トーションばねは、前記支持板の上面における器具本体の両側にそれぞれ配置され、前記巻き部の捻り戻り力をそれぞれ前記アーム部に伝達し、前記外向フランジと前記アーム部の一部とにより前記板材を弾性的に挟持する。
【００１４】
このような構成とすると、トーションばねにおけるアーム部の先端部を取付孔の上縁に係止させるだけで、巻き部の捻り戻り力により、支持板が持ち上げられて、支持板が正規の装着位置に装着されるので、装着作業が容易である。
また、アーム部の一部と外向フランジとにより、板材を弾性的に挟持することにより、埋込型器具を埋め込み設置状態で安定よく保持することができる。従って、例えば落下防止用のワイヤを取り付けたり、取付ばねの押え部を板材の裏側に固定したり、器具本体に接続する電源ワイヤを太くしたりすることなく、器具本体が落下することを未然に防止することができる。
【００１５】
（５）上記（４）項において、支持板の上面における両側部に、前後１対のトーションばねの基端部をそれぞれ取付け、かつ前後のダブルトーションばねの遊端同士を、連結部をもって互いに連結した。
【００１６】
このような構成とすると、遊端同士を連結した前後１対のトーションばねを、器具本体の両側に配置し、合計４個のアーム部と外向フランジとにより板材を弾性的に強力に挾持するので、器具本体が落下することを未然に防止することができる。
【００１７】
（６）上記(１)〜（５）項のいずれかにおいて、アーム部の先端部に下向鉤状部を設け、支持板が板材から下方に移動したときに、前記下向鉤状部が前記板材の裏面における取付孔の周縁に係合して、前記支持板を吊支する。
【００１８】
このような構成とすると、器具本体が強い振動を受け、万一、器具本体が取付孔の下方に離脱した場合でも、下向鉤状部が板材における取付孔の上縁に係合し、支持板が両側部のトーションばねにより吊支され、器具本体の落下を防止することができる。
また、器具本体を取付孔に挿入する際に、両側のトーションばねにおける下向鉤状部を、取付孔の両側の上縁に係止させて、埋込型器具の設置準備を完了させることができ、この状態で、配線の接続作業等を行うことができ、作業性が向上する。
【発明の効果】
【００１９】
本発明によれば、構造が簡単で、器具本体を容易に埋め込み設置することができ、器具本体の埋め込み設置状態での安定化を図るとともに、器具本体の落下を未然に防止しうるようにした埋込器具を提供することができる。
【図面の簡単な説明】
【００２０】
【図１】本発明の埋込型器具の第１の実施形態の平面図である。
【図２】図１のII−II線における縦断正面図である。
【図３】図２に示す状態から、支持板を下方に移動させた状態における右側部の拡大縦断正面図である。
【図４】図３に示す状態から、支持板を若干上方へ移動させた状態における右側部の拡大縦断正面図である。
【図５】本発明の埋込型器具の第２の実施形態の概略平面図である。
【図６】図５のＶＩ−ＶＩ線における縦断正面図である。
【図７】図６に示す状態から、支持板を下方に移動させた状態における右側部の拡大縦断正面図である。
【図８】本発明の埋込型器具の第３の実施形態の右側部の拡大縦断正面図である。
【発明を実施するための形態】
【００２１】
以下、本発明の実施形態を、図面に基づいて説明する。
図１〜図４は、本発明の埋込型器具の第１の実施形態を示す。
【００２２】
図１および図２に示すように、この埋込型器具１は、天井または壁を形成する板材２の取付孔３に、外向フランジ４が板材２の取付孔３の周縁下面に当接するようにして下方より嵌合された支持板５と、この支持板５の上面中央部に、外周部の四隅をねじ等の固定部材６をもって取付けられた下向のスピーカとした器具本体７と、支持板５の上面における両側部に設けられた左右１対の押え手段８、８とからなっている。
【００２３】
支持板５は、円形とした取付孔３に補形をなす倒立有底円筒状の支持板本体５ａの下端開口縁に、外向フランジ４を連設し、かつ下端開口縁内に、多孔板、またはメッシュ板等からなるスピーカカバー９を、着脱自在に嵌合したものよりなっている。
支持板本体５ａの上面中央には、器具本体７であるスピーカのコーン(図示略)の外径に合わせた通孔(図示略)が設けられている。
【００２４】
器具本体７は、この例ではスピーカとしてあるが、照明器具やその他のものとすることもある。
【００２５】
各押え手段８は、支持板５の上面に、ねじまたはリベット等の固定部材１０をもって取付けられた前後１対のばね端部１１、１１と、各ばね端部１１に基端が連なる前後１対の内側巻き部１２、１２と、各内側巻き部１２、１２の遊端に、山形の屈曲連結部１３、１３を介して、基端が連なる前後１対の外側巻き部１４、１４と、各外側巻き部１４、１４の遊端から外側方向に向かって延出する前後１対のアーム部１５、１５とを有するばね線材からなる前後１対のダブルトーションばね１６、１６を備えている。
【００２６】
各押え手段８は、さらに、前後１対のダブルトーションばね１６、１６における前後のアーム部１５、１５の遊端同士を、前後方向を向く連結部１７をもって互いに連結することにより、ばね線材が平面視コ字状に連続するものとしてある。
【００２７】
前後１対のアーム部１５、１５の外端部は、支持板５に向かって鉤状に折り曲げられて下向鉤状部１５ａ、１５ａをなし、その下端から連結部１７にかけての部分が、板材２の裏面、すなわち上面に当接する押え部１８をなしている。
【００２８】
押え部１８は、この例では直線状としてあるが、例えば、Ｖ字状、Ｕ字状のいずれかの形状とすることができる。要は、下向鉤状部１５ａ、１５ａの遊端同士を一体に連結する部材であればよい。
【００２９】
ダブルトーションばね１６、１６は、上記の構成とすることにより、内側巻き部１２、１２と外側巻き部１４、１４とのそれぞれの捻り戻り力により、押え部１８を同時に下向に回動させる付勢力を発生させることができる。
【００３０】
次に、図１〜図４を参照して、第１の実施形態の埋込型器具１の装着手順と作用とについて説明する。
【００３１】
取付孔３の下方に支持板本体５ａを配置した状態において、作業者の手により１対のダブルトーションばね１６の遊端を、取付孔３の下方から挿入して、下向鉤状部１５ａおよび押え部１８を板材２の裏面の縁部に係止させることにより、埋込型器具１を、図３に示す落下防止位置に保持する。
【００３２】
下向鉤状部１５ａおよび押え部１８は、外側巻き部１４の捻り戻り力により、外向きに付勢されているので、板材２における取付孔３の縁部から内方へ外れることはない。
【００３３】
この状態では、埋込型器具１は、下向鉤状部１５ａおよび押え部１８により、吊支されているので、器具本体７が不測の振動を受けても、それ以上の埋込型器具１の落下を防止することができる。
【００３４】
次に、作業者の指により、図３に示す外側巻き部１４を持ち上げて、取付孔３に押し込みつつ、支持板５を、図４に示すように上昇させると、ダブルトーションばね１６は、ばねの復元力により、取付孔３の縁に押しつけられ、アーム部１５が取付孔３の上縁部に当接して、下向鉤状部１５ａおよび押え部１８が板材２の上方へ移動させられるとともに、外側巻き部１４が取付孔３の内側に沿って摺動しつつ上昇させられる。
【００３５】
外側巻き部１４が取付孔３の上縁に達した後は、ばねの復元力により、外側巻き部１４は、外側方に向かって移動しようとし、板材２の上面に乗り上がり、その後は板材２の上面に沿って、取付孔３から離れる方向に摺動する。
このときの左右のダブルトーションばね１６、１６の外上方への拡開時の反力により、支持板５は持ち上げられ、支持板本体５ａは取付孔３に下方より円滑に嵌合させられる（図２参照）。
【００３６】
このとき、屈曲連結部１３は、山形に屈曲しているので、取付孔３の上縁に干渉することはなく、外側巻き部１４は、外側方に移動することができる。
【００３７】
また、アーム部１５は、外側巻き部１４が取付孔３の上縁に乗り上がった際に、外下方へ回動させられ、押え部１８が板材２の上面に圧接させられる。
【００３８】
この例では、埋込型器具１は、外向フランジ４を板材２の取付孔３の周縁下面に当接させて、押え部１８および外側巻き部１４を板材２の裏面に圧接させているので、外向フランジ４と外側巻き部１４および押え部１８に挟まれた板材２を弾性的に強力に挟持することができる。
【００３９】
図１および図２に示す埋込型器具１では、内側巻き部１２の遊端に、山形の屈曲連結部１３を介して、外側巻き部１４の基端を連結しているので、内側巻き部１２の捻り戻り力を、取付孔３の上縁に妨げられることなく、そのまま外側巻き部１４に伝達できるため、外側巻き部１４を強い付勢力により、板材２における取付孔３の周縁上面に圧接させて、器具本体７の落下を防止することができる。
【００４０】
以上説明したように、上記第１の実施形態の埋込型器具１によると、内側巻き部１２の捻り戻り力を外側巻き部１４に伝達して、外側巻き部１４を取付孔３から板材２の裏面に移動させるだけで、埋込型器具１を簡単に埋め込み設置することができる。
【００４１】
本発明の埋込型器具は、上記第１の実施形態に限定されるものではない。
第１の実施形態において、押え手段８は、前後１対のダブルトーションばね１６、１６を備えるものとしてあるが、単一のダブルトーションばね１６からなるものとすることもある。
また、ダブルトーションばね１６における押え部１８を下向鉤状部１５ａの遊端に延出してあるが、押え部１８を設けずに下向鉤状部１５ａの遊端により、板材２の裏面を圧接させることもある。
【００４２】
上記第１の実施形態においては、押え部１８を板材２の裏面に圧接させて埋込型器具１を埋め込み設置してあるが、押え部１８が板材２の裏面に当接することなく、外側巻き部１４のみが板材２の取付孔３の周縁上面に圧接するようにしてもよい。
【００４３】
図５〜図７は、本発明の埋込型器具の第２の実施形態を示す。なお、図１のものと同一の部材には同一の符号を付して図示し、それらについて詳細な説明は省略する。
【００４４】
この例では、各押え手段１９は、支持板５の上面に、ねじまたはリベット等の固定部材１０をもって取付けられた前後１対のばね端部１１、１１と、各ばね端部１１の器具本体７側に基端が垂直に連なる前後１対の巻き部２０、２０と、各巻き部２０、２０の遊端から外側方向に向かって延出する前後１対のアーム部１５、１５とを有するばね線材からなる前後１対のトーションばね２１、２１を備えている。
すなわち、第２の実施形態においては、第１の実施形態における外側巻き部１４に相当するものを省略してある。
【００４５】
図５および図６に示すように、各押え手段１９は、さらに、前後１対のトーションばね２１、２１における前後のアーム部１５、１５の遊端同士を、前後方向を向く連結部１７をもって互いに連結することにより、ばね線材が平面視コ字状に連続するものとしてある。
【００４６】
トーションばね２１、２１は、巻き部２０、２０の捻り戻り力により、押え部１８を同時に下向きに回動させる付勢力を発生させることができる。
【００４７】
図５〜図７を参照して、第２の実施形態の埋込型器具１の装着手順と作用とについて説明する。
【００４８】
図７に示すように、取付孔３の下方に支持板本体５ａを配置した状態において、作業者の手により１対のトーションばね２１の遊端を、取付孔３の下方から挿入して、下向鉤状部１５ａおよび押え部１８を板材２の裏面の縁部に係止させることにより、埋込型器具１を落下防止位置に保持する。
【００４９】
下向鉤状部１５ａおよび押え部１８は、巻き部２０の捻り戻り力を受けて外向きに付勢されているので、板材２の裏面の縁部から取付孔３の内方へ外れることがない。
【００５０】
埋込型器具１は、下向鉤状部１５ａおよび押え部１８により、吊支されているので、器具本体７が不測の振動を受けても、それ以上の埋込型器具１の落下を防止することができる。
【００５１】
図７に示す状態から、何もしないでも、または支持板５を軽く押し上げるだけで、支持板５は、左右のトーションばね２１が巻き部２０の捩り戻り力により押さえ部１８を外下方に回動させようとする反力によって持ち上げられ、支持板本体５ａは、外向フランジ４が板材２の取付孔３の周縁下面に当接するまで、取付孔３に嵌合される（図６参照）。
【００５２】
図６に示す装着状態においては、各トーションばね２１は、巻き部２０、２０の捻り戻り力により、各押え部１８と外向フランジ４とによって板材２を弾性的に挾持し、器具本体７を埋め込み設置状態で安定よく保持することができる。
【００５３】
以上説明したように、第２の実施形態の埋込型器具１によると、下向鉤状部１５ａおよび押え部１８を板材２における取付孔３の上縁に係止させるだけで、トーションばね２１の付勢力を利用して、支持板５を持ち上げて、埋込型器具１を埋め込み設置することができ、また押え部１８が巻き部２０の捻り戻り力により板材２の裏面に圧接させることにより、埋込型器具１を簡単かつ安定よく埋め込み設置することができる。
【００５４】
本発明の埋込型器具は、上記第２の実施形態に限定されるものではない。
第２の実施形態においても、押え手段１９は、前後１対のトーションばね２１、２１を備えるものとしてあるが、単一のトーションばね２１からなるものとすることもある。
また、トーションばね２１における押え部１８を下向鉤状部１５ａの遊端に延出してあるが、押え部１８を設けずに下向鉤状部１５ａの遊端により、板材２の裏面を圧接させることもある。
【００５５】
図８は、本発明の埋込型器具１の第３の実施形態を示す。なお、図７のものと同一の部材には同一の符号を付して図示し、それらについて詳細な説明は省略する。
【００５６】
この例では、各押え手段１９は、支持板５の上面に、ねじまたはリベット等の固定部材１０をもって取付けられた前後１対のばね端部１１、１１と、各ばね端部１１の取付孔３側に基端が垂直に連なる前後１対の巻き部２０、２０と、各巻き部２０、２０の遊端から外側方向に向かって延出する前後１対のアーム部１５、１５とを有するばね線材からなる前後１対のトーションばね２１、２１を備えている。
【００５７】
器具本体７の埋め込み設置状態において、アーム部１５の基端を、取付孔３の上縁とに圧接させ、下向鉤状部１５ａおよび押え部１８を板材２の裏面から離間させている。これにより、アーム部１５の基端と外向フランジ４とにより、板材２を強力に弾性的に挟持することができ、器具本体７の埋め込み設置状態での安定化を図ることができる。
【００５８】
すなわち、アーム部１５の基端は、押え部１８に比して巻き部２０に接近してるので、巻き部２０の捻り戻り力を強く伝達することができ、巻き部１９による付勢力を減衰させずに板材２を押圧することができる。
【００５９】
なお、図示の実施形態では、アーム部１５の形状を正面視において直線状としてあるが、アーム部１５の形状は直線状に限定されず、板材２の上方へ湾曲させたり屈曲させたりしてもよい。すなわち、巻き部１９の付勢力を減衰させない形状を適用させることができる。
【符号の説明】
【００６０】
１  埋込型器具
２  板状パネル
３  取付孔
４  外向フランジ
５  支持板
５ａ本体
６  固定部材
７  器具本体
８  押え手段
９  スピーカカバー
１０  固定部材
１１  ばね端部
１２  内側巻き部
１３  屈曲連結部
１４  外側巻き部
１５  アーム部
１５ａ下向鉤状部
１６  ダブルトーションばね
１７  連結部
１８  押え部
１９  押え手段
２０  巻き部
２１  トーションばね
【図１】
2012104435.tif 000003
【図２】
2012104435.tif 000004
【図３】
2012104435.tif 000005
【図４】
2012104435.tif 000006
【図５】
2012104435.tif 000007
【図６】
2012104435.tif 000008
【図７】
2012104435.tif 000009
【図８】
2012104435.tif 000010